(57)【特許請求の範囲】
【請求項１】
パネルと、パネルを取り付けるブラケットと、ブラケットにパネルを固定する支持具とを備え、パネルは、固着具を挿通する孔を有し、ブラケットは、固着具を挿通する孔を有し、支持具は、パネルとブラケットとにそれぞれ形成した各孔に通してパネルとブラケットとを固着する固着具と、固着具のブラケット側の端部を覆うキャップと、ブラケットと固着具の端部との間に挟持したキャップ係止具とを有し、キャップ係止具は、キャップ側キャップ係止具とパネル側キャップ係止具とからなり、キャップ側キャップ係止具とパネル側キャップ係止具には、固着具を挿通する孔をそれぞれに有しており、キャップは、固着具の端部を覆う収容空間を形成する外周壁を備えており、キャップの外周壁の開口縁側には、この開口縁側からキャップ側キャップ係止具の側に突出する基部と、基部から固着具側に突出した先部とからなる係止部を有しており、パネル側キャップ係止具は、外周縁に外周側に開口する凹部を適宜間隔で複数備えており、キャップ側キャップ係止具は、外周縁に、パネル側キャップ係止具側に突出する突部と外周側に開口する切欠部が適宜間隔で複数設けてあり、キャップ側キャップ係止具における切欠部の縁部のうちの突部に向かう側には、キャップ側キャップ係止具からキャップの収容空間側に突出するガイド部を備え、
ガイド部とパネル側キャップ係止具との間にキャップの係止部の先部を受け入れるための間隙を形成しており、キャップの係止部の先部は、キャップを回したときに間隙に差し込まれ、パネル側キャップ係止具とキャップ側キャップ係止具とに挟まれながらキャップ側キャップ係止具の外周縁に沿って摺動するとともに、パネル側キャップ係止具の凹部内でキャップ側キャップ係止具の突部のパネル側キャップ係止具側の面に係止してあることを特徴とするパネル体。
【発明の詳細な説明】
【技術分野】
【０００１】
本発明はおもにベランダ、あるいは階段手摺、陳列棚等に使用するパネル体に関するものである。
【背景技術】
【０００２】
近年において、ベランダの脱落防止用フェンスやあるいは階段手摺、陳列棚における陳列物の落下防止手段にはパネル体を採用するものが登場しており、このパネル体は、パネルをブラケットに取り付ける際の固着具となる六角ボルトやナットが、パネルを基準とする室内側及び室外側のそれぞれに突き出しており、この突き出した固着具が例えば使用者の衣服や洗濯物に引っ掛けるような不都合があった。さらに六角ボルトやナットなどの冷たく無機質なものが露出することは建物の外観の見栄えを損なうことから図８に示すように、規格外に径が大きなボルトヘッド３１を有する特殊な固着具を使用する等の手法が採られることもある。
【特許文献１】特開２００２−３０９８０６号公報
【発明の開示】
【発明が解決しようとする課題】
【０００３】
しかしながら上記のような特殊な固着具を用いた場合、汎用の固着具、例えば六角ボルトやナットが流用できずに専用の工具を用いて取り付け・取り外しを行う必要があることからコストが嵩む問題があった。また使用者が急場しのぎで汎用のボルトヘッドやナットに簡易なゴム製キャップなどを被せるような対策を採ることもあったが、この場合には例えば子供の悪戯や、あるいは不意な洗濯物の引っ掛けなどの要因により、このゴム製キャップが簡単に抜け落ちる懸念があり、製造者側での対策が必須であった。本発明は以上に述べた実情を鑑みてなされたものであって、建物の外観の体裁を保つとともに、際立った施工性を併せ持ち、しかも製造及び施工にかかるコストの削減を可能とするパネル体を提供することにある。
【課題を解決するための手段】
【０００４】
上記の課題を達成するために本発明は、パネルと、パネルを取り付けるブラケットと、ブラケットにパネルを固定する支持具とを備え、パネルは、固着具を挿通する孔を有し、ブラケットは、固着具を挿通する孔を有し、支持具は、パネルとブラケットとにそれぞれ形成した各孔に通してパネルとブラケットとを固着する固着具と、固着具のブラケット側の端部を覆うキャップと、ブラケットと固着具の端部との間に挟持したキャップ係止具とを有し、キャップ係止具は、キャップ側キャップ係止具とパネル側キャップ係止具とからなり、キャップ側キャップ係止具とパネル側キャップ係止具には、固着具を挿通する孔をそれぞれに有しており、キャップは、固着具の端部を覆う収容空間を形成する外周壁を備えており、キャップの外周壁の開口縁側には、この開口縁側からキャップ側キャップ係止具の側に突出する基部と、基部から固着具側に突出した先部とからなる係止部を有しており、パネル側キャップ係止具は、外周縁に外周側に開口する凹部を適宜間隔で複数備えており、キャップ側キャップ係止具は、外周縁に、パネル側キャップ係止具側に突出する突部と外周側に開口する切欠部が適宜間隔で複数設けてあり、キャップ側キャップ係止具における切欠部の縁部のうちの突部に向かう側には、キャップ側キャップ係止具からキャップの収容空間側に突出するガイド部を備え、ガイド部とパネル側キャップ係止具との間にキャップの係止部の先部を受け入れるための間隙を形成しており、キャップの係止部の先部は、キャップを回したときに間隙に差し込まれ、パネル側キャップ係止具とキャップ側キャップ係止具とに挟まれながらキャップ側キャップ係止具の外周縁に沿って摺動するとともに、パネル側キャップ係止具の凹部内でキャップ側キャップ係止具の突部のパネル側キャップ係止具側の面に係止してあることを特徴とする。
【０００５】
ここで本発明のパネル体のパネルの素材としては、例えばガラス、樹脂、アルミ、木材などが挙げられ、従って特に限定するものではない。本発明のパネル体を取り付ける箇所としては、例えば階段手摺であれば室内の壁面、あるいはベランダ用の脱落防止用のフェンスであれば台から起立した各支柱などが挙げられる。固着具は、パネルとブラケットとキャップ係止具とを固着できるものであれば特に限定するものではなく、例えばボルトとナットや、あるいはリベットを各孔に挿通し、両端部をそれぞれかしめたもの等が挙げられる。キャップ係止具は、キャップの保持ができるものであれば特にその形態を限定するものでなく、具体的には座金等の肉厚を薄く形成できるものを使用することが望ましい。突部は、キャップ側キャップ係止具の係止部を係止できるものであればよく、例えば、キャップ側キャップ係止具の一部をパネル側キャップ係止具側に谷折りしてＶ字状に曲げ加工したもの、またキャップ側キャップ係止具のキャップ側の面からパンチングし、パネル側キャップ係止具の側に一部を突き出して形成したもの等が挙げられる。凹部は、キャップ側キャップ係止具とパネル側キャップ係止具とを張り合わせた際に、キャップ側キャップ係止具の突部を受け入れられると共に、キャップの係止時には係止部を収めることができるものであればよく、例えば貫通孔やあるいは窪み等のすべてを含んだ概念である。キャップの態様は特に限定しないが、洗濯物や使用者との接触時を考慮し、キャップの外側表面が滑らかとなるように処理していることが望ましい。
【０００７】
差込孔は、キャップ側キャップ係止具のキャップ側の面からパネル側キャップ係止具の側に係止部を突入できるものであれば何でもよく、例えば切欠、貫通孔、スリットなどが挙げられる。またガイド部はキャップの係止時、係止部を差込孔に差し入れやすくできるような手段が挙げられ、例えば係止部を差し入れる入口側の間隔が広くとってあり、さらに入口から入り込むにつれ次第にパネル側キャップ係止具との間隙が狭まるように傾斜した突出片等が挙げられるが、このようにすればキャップの係止時に、ガイド部に係止部を引っ掛けた状態でキャップを回せば、係止部がガイド部に沿って摺動すると共に、係止部がキャップ側キャップ係止具とパネル側キャップ係止具との間に入り込み、キャップ側キャップ係止具の突部と係止することとなる。
【発明の効果】
【０００９】
以下、本発明の実施形態を図面に基づいて説明する。本発明のパネル体は、図２（ａ）（ｂ）に示すようにパネル１５と、ベランダの支柱１６に固着するブラケット８と、ブラケット８にパネル１５を取り付けるための支持具とを備え、支持具は、キャップ１と、キャップ係止具２５と、ボルト９及びナット１０と、スペーサー１１と、パネル１５を室内側と室外側とから挟む２枚の各クッション材１２,１３と、ブラケット８に当接する丸座金１４とを備えており、キャップ係止具２５を形成するキャップ側キャップ係止具２とパネル側キャップ係止具３は図３（ａ）（ｂ）に示すように、それぞれが肉厚の薄い円形鋼板により形成してあり、さらにキャップ側キャップ係止具２の側には図３（ａ）のように、１２０°間隔の３箇所に切欠部６を有し、またパネル側キャップ係止具３側には図３（ｂ）のように、キャップ側キャップ係止具２の各突部５のそれぞれに対応した各凹部７を有している。そして、キャップ側キャップ係止具２とパネル側キャップ係止具３との接合状態は図１（ａ）に示すように、各凹部７のそれぞれにキャップ側キャップ係止具２の各突部５を落とし込んで重ね合わせ、さらに各係止具２,３をスポット溶接して離脱不能としている。また図１（ｂ）に示すものは、パネル１５の室内側のみにキャップ１を取り付けたものである。
【００１０】
キャップ側キャップ係止具２の切欠部６は図３（ａ）に示すように、キャップ側キャップ係止具２の外周縁から中心の孔１９側に向かう径方向貫通部２０と、径方向貫通部２０における孔１９側端部の左右に延長する周方向貫通部２１とをＴ字状に付き合わせたものである。従って、切欠部６によるキャップ側キャップ係止具２の切欠部６により囲まれた部分については、径方向貫通部２０を挟んで向き合うガイド部１７と突出片１８とを有し、さらにガイド部１７は突出片１８よりも周方向に短く形成している。そしてガイド部１７は図４のように、キャップ１の回転（この場合には時計回りの方向に回す。）とともに摺動する係止部４の入り込む側を、キャップ１の収容空間Ｓ側に跳ね上がるような状態で傾斜しており、従ってキャップ１の係止部４が切欠部６に入り込むにつれて、キャップ側キャップ係止具２とパネル側キャップ係止具３との間隙Ｒが次第に狭まっている。これによりキャップ１の係止時、切欠部６に突入した係止部４は、キャップ側キャップ係止具２のガイド部１７とパネル側キャップ係止具３との間隙Ｒにより銜え込みやすくなり、ガイド部１７に沿って導かれたキャップ１の係止部４をそのままキャップ１を回せば、キャップ側キャップ係止具２とパネル側キャップ係止具３の間に自然に入り込み、係止部４がキャップ側キャップ係止具２の周縁部を係止してキャップ１の取り付けが完了する。
【発明を実施するための最良の形態】
【００１２】
以下、本発明の実施形態を図面に基づいて説明する。本発明のパネル体は、図２（ａ）（ｂ）に示すようにパネル１５と、ベランダの支柱１６に固着するブラケット８と、ブラケット８にパネル１５を取り付けるための支持具とを備え、支持具は、キャップ１と、キャップ係止具２５と、ボルト９及びナット１０と、スペーサー１１と、パネル１５を室内側と室外側とから挟む２枚の各クッション材１２,１３と、ブラケット８に当接する丸座金１４とを備えており、キャップ係止具２５を形成するキャップ側キャップ係止具２とパネル側キャップ係止具３は図３（ａ）（ｂ）に示すように、それぞれが肉厚の薄い円形鋼板により形成してあり、さらにキャップ側キャップ係止具２の側には図３（ａ）のように、１２０°間隔の３箇所に差込孔６を有し、またパネル側キャップ係止具３側には図３（ｂ）のように、キャップ側キャップ係止具２の各突部５のそれぞれに対応した各凹部７を有している。そして、キャップ側キャップ係止具２とパネル側キャップ係止具３との接合状態は図１（ａ）に示すように、各凹部７のそれぞれにキャップ側キャップ係止具２の各突部５を落とし込んで重ね合わせ、さらに各係止具２,３をスポット溶接して離脱不能としている。また図１（ｂ）に示すものは、パネル１５の室内側のみにキャップ１を取り付けたものである。
【００１３】
キャップ１は、筒型の一側が塞がり且つ他側が開口したものであり、このキャップ１の取り付け時においては、キャップ側キャップ係止具２から突き出したボルトヘッド９及びナット１０を被覆するものである（図１（ａ）参照）。またキャップ１の周壁開口縁に沿った１２０°間隔の３箇所には、キャップ側キャップ係止具２及びパネル側キャップ係止具３との係止部４を有しており、キャップ側キャップ係止具２の有する各切欠部６と対応している。また係止部４は、基部２２がキャップ側キャップ係止具２側に突出し、且つ先部２３がボルト９の側に突出した鉤状に備えてある。
【００１４】
そして図５（ａ）（ｂ）に示すものは、キャップ１と、キャップ側キャップ係止具２及びパネル側キャップ係止具３との取り付けを行う際の手順であり、まず図５（ａ）のように、キャップ１の各係止部４をキャップ側キャップ係止具２の各切欠部６の位置に合わせ、さらに図６（ａ）に示すように、各係止部４を間隙Ｒにおいて銜え込ませるようにして各ガイド部１７の先に引っ掛けながら、キャップ側キャップ係止具２とパネル側キャップ係止具３との間に入り込ませていく。次いで図５（ｂ）のように、キャップ１を時計回りの方向に回すことで図６（ｂ）のように、各係止部４がキャップ側キャップ係止具２の外周縁に沿って摺動し、最後に図６（ｃ）のように、突部５のある位置で係止部４がそれ以上の摺動を規制されて留まり、キャップ１のキャップ側キャップ係止具２及びパネル側キャップ係止具３への取り付けを完了する。またキャップ１を取り外す際には、取付時とは反対方向（反時計回り）にキャップ１を回して、各係止部４が対応する各切欠部６にまでくるようにすると、係止状態が解除する。また図７（ａ）（ｂ）（ｃ）は、キャップ１を反時計回しにキャップ側キャップ係止具２の突部５に係止した場合を示したものである。
尚、本発明は以上に述べた実施形態に限定されず、例えば階段の手摺や、あるいは棚の陳列物の落下防止フェンスなどにおいても適用できる。
【００１５】
パネル側キャップ係止具３の凹部７は図３（ｂ）に示すように、パネル側キャップ係止具３の外周縁から中心の孔１９側に向かって狭くなるような扇形をなしており、この凹部７には、パネル側キャップ係止具３とのスポット溶接時に図４に示しように、パネル側キャップ係止具３側に突出したキャップ側キャップ係止具２の突部５を受け入れて落とし込んでおり、これによって、キャップ側キャップ係止具２とパネル側キャップ係止具３とを、各突部５以外の箇所において密接に貼り合わせたようにしてある。
【００１６】
１  キャップ
２  キャップ側キャップ係止具（キャップ係止具）
３  パネル側キャップ係止具（キャップ係止具）
４  係止部
５  突部
６  切欠部
７  凹部
８  ブラケット
９  ボルト、ボルトヘッド（固着具）
１０  ナット（固着具）
１５  パネル
１７  ガイド部
１９  孔
２２  基部（係止部）
２３  先部（係止部）
２４  支持具
２５  キャップ係止具
Ｒ  間隙
Ｓ  収容空間
【００１７】
そして図５（ａ）（ｂ）に示すものは、キャップ１と、キャップ側キャップ係止具２及びパネル側キャップ係止具３との取り付けを行う際の手順であり、まず図５（ａ）のように、キャップ１の各係止部４をキャップ側キャップ係止具２の各差込孔６の位置に合わせ、さらに図６（ａ）に示すように、各係止部４を間隙Ｒにおいて銜え込ませるようにして各ガイド部１７の先に引っ掛けながら、キャップ側キャップ係止具２とパネル側キャップ係止具３との間に入り込ませていく。次いで図５（ｂ）のように、キャップ１を時計回りの方向に回すことで図６（ｂ）のように、各係止部４がキャップ側キャップ係止具２の外周縁に沿って摺動し、最後に図６（ｃ）のように、突部５のある位置で係止部４がそれ以上の摺動を規制されて留まり、キャップ１のキャップ側キャップ係止具２及びパネル側キャップ係止具３への取り付けを完了する。またキャップ１を取り外す際には、取付時とは反対方向（反時計回り）にキャップ１を回して、各係止部４が対応する各差込孔６にまでくるようにすると、係止状態が解除する。また図７（ａ）（ｂ）（ｃ）は、キャップ１を反時計回しにキャップ側キャップ係止具２の突部５に係止した場合を示したものである。
尚、本発明は以上に述べた実施形態に限定されず、例えば階段の手摺や、あるいは棚の陳列物の落下防止フェンスなどにおいても適用できる。
【図面の簡単な説明】
【００１８】
【図１（ａ）（ｂ）】本発明のパネル体の使用状態を示す縦断面図である。
【図２（ａ）（ｂ）】本発明のパネル体を構成する各部品について示す斜視図である。
【図３（ａ）（ｂ）】本発明のパネル体について示す平面視した横断面図と、底面視した横断面図である。
【図４】図３（ａ）のＡ−Ａ線縦断面図である。
【図５（ａ）（ｂ）】本発明のキャップの取付手順を示す斜視図である。
【図６（ａ）（ｂ）（ｃ）】本発明のパネル体の一部を切欠し、キャップを反時計回りに回して係止する場合のキャップと各係止具との係止状態を示す斜視図である。
【図７（ａ）（ｂ）（ｃ）】本発明のパネル体の一部を切欠し、キャップを時計回りに回して係止する場合のキャップと各係止具との係止状態を示す斜視図である。
【図８】従来のパネル体を示す斜視図である。
【符号の説明】
【００１９】
１  キャップ
２  キャップ側キャップ係止具（キャップ係止具）
３  パネル側キャップ係止具（キャップ係止具）
４  係止部
５  突部
６  差込孔
７  凹部
８  ブラケット
９  ボルト、ボルトヘッド（固着具）
１０  ナット（固着具）
１５  パネル
１７  ガイド部
１９  孔
２２  基部（係止部）
２３  先部（係止部）
２４  面
２５  キャップ係止具
Ｒ  間隙
Ｓ  収容空間
【図１】
0004661310.tif 000002
【図２（ａ）（ｂ）】
0004661310.tif 000003
【図３】
0004661310.tif 000004
【図４】
0004661310.tif 000005
【図５（ａ）（ｂ）】
0004661310.tif 000006
【図６】
0004661310.tif 000007
【図７】
0004661310.tif 000008
【図８】
0004661310.tif 000009